(57)【要約】  音響再生装置は超指向性スピーカを有する。この音響再生装置と並設された他の音響再生装置は他の超指向性スピーカを有する。これらの超指向性スピーカは、音軸上に位置して音軸に沿って音波を放射する放射面をそれぞれ有して、かつ最大音圧位置でそれぞれの音波の音圧が最大となる。超指向性スピーカの音軸の放射面から最大音圧位置までの部分と、他の超指向性スピーカ他の音軸の他の放射面から他の最大音圧位置までの部分とは重ならないように前記超指向性スピーカが配置される。
2012157219.tif 000002
【特許請求の範囲】
【請求項１】
音響再生装置であり、他の音響再生装置と並設できる音響再生装置において、
前記音響再生装置は、媒体に超音波を放射し、前記超音波が前記媒体を伝播する際のパラメトリック効果を利用した超指向性スピーカを備え、
前記他の音響再生装置は、媒体に超音波を放射し、前記超音波が前記媒体を伝播する際のパラメトリック効果を利用した他の超指向性スピーカを備え、
前記超指向性スピーカは音軸上に位置して前記音軸に沿って音波を放射する放射面を有して、かつ最大音圧位置で前記音波の音圧が最大となり、
前記他の超指向性スピーカは他の音軸上に位置して前記他の音軸に沿って他の音波を放射する他の放射面を有して、かつ他の最大音圧位置で前記他の音波の音圧が最大となり、
前記音軸の前記放射面から前記最大音圧位置までの部分と、前記他の音軸の前記他の放射面から前記他の最大音圧位置までの部分とは重ならないように前記超指向性スピーカが配置される、
音響再生装置。
【請求項２】
前記超指向性スピーカを収容する筐体と、
前記筐体に内蔵された画像表示部と、
をさらに備えた、
請求項１に記載の音響再生装置。
【請求項３】
前記超指向性スピーカを収容する筐体と、
画像情報と音声情報を有する画像表示装置と、
をさらに備え、
前記筐体は前記画像表示装置を収納する収納部を有し、
前記収納部と前記画像表示装置とは電気的に接続され、
前記収納部は前記音声情報を前記画像表示装置から取得し、前記超指向性スピーカは前記取得された音声情報を再生する、
請求項１に記載の音響再生装置。
【請求項４】
前記画像表示装置は前記収納部からのみ電力が供給される、
請求項３に記載の音響再生装置。
【請求項５】
前記筐体は脚部を有する、
請求項３に記載の音響再生装置。
【請求項６】
媒体に超音波を放射し、前記超音波が前記媒体を伝播する際のパラメトリック効果を利用した第１の超指向性スピーカを有する第１の音響再生装置と、
媒体に超音波を放射し、前記超音波が前記媒体を伝播する際のパラメトリック効果を利用した第２の超指向性スピーカを有し、前記第１の音響再生装置と並設された第２の音響再生装置と、
を備え、
前記第１の超指向性スピーカは第１の音軸上に位置して前記第１の音軸に沿って第１の音波を放射する第１の放射面を有して、かつ第１の最大音圧位置で前記第１の音波の音圧が最大となり、
前記第２の超指向性スピーカは第２の音軸上に位置して前記第２の音軸に沿って第２の音波を放射する第２の放射面を有して、かつ第２の最大音圧位置で前記第２の音波の音圧が最大となり、
前記第１の音軸の前記第１の放射面から前記第１の最大音圧位置までの部分と、前記第２の音軸の前記第２の放射面から前記第２の最大音圧位置までの部分とは重ならないように前記第１の音響再生装置と前記第２の音響再生装置が配置される、
音響再生装置ユニット。
【請求項７】
前記第１の音響再生装置は、
前記第１の超指向性スピーカを収容する第１の筐体と、
前記第１の筐体に内蔵された第１の画像表示部と、
をさらに有し、
前記第２の音響再生装置は、
前記第２の超指向性スピーカを収容する第２の筐体と、
前記第２の筐体に内蔵された第２の画像表示部と、
をさらに有する、
請求項６に記載の音響再生装置ユニット。
【請求項８】
前記第１の音響再生装置は、
前記第１の超指向性スピーカを収容する第１の筐体と、
第１の画像情報と第１の音声情報を有する第１の画像表示装置と、
をさらに有し、
前記第１の筐体は前記第１の画像表示装置を収納する第１の収納部を有し、
前記第１の収納部と前記第１の画像表示装置とは電気的に接続され、
前記第１の収納部は前記第１の音声情報を前記第１の画像表示装置から取得し、前記第１の超指向性スピーカは前記取得された第１の音声情報を再生し、
前記第２の音響再生装置は、
前記第２の超指向性スピーカを収容する第２の筐体と、
第２の画像情報と第２の音声情報を有する第２の画像表示装置と、
をさらに有し、
前記第２の筐体は前記第２の画像表示装置を収納する第２の収納部を有し、
前記第２の収納部と前記第２の画像表示装置とは電気的に接続され、
前記第２の収納部は前記第２の音声情報を前記第２の画像表示装置から取得し、前記第２の超指向性スピーカは前記取得された第２の音声情報を再生する、
請求項６に記載の音響再生装置ユニット。
【請求項９】
前記第１の画像表示装置は前記第１の収納部からのみ電力が供給され、
前記第２の画像表示装置は前記第２の収納部からのみ電力が供給される、
請求項６に記載の音響再生装置ユニット。
【請求項１０】
前記第１の筐体は第１の脚部を有し、
前記第２の筐体は第２の脚部を有する、
請求項６に記載の音響再生装置ユニット。
【請求項１１】
媒体に超音波を放射し、前記超音波が前記媒体を伝播する際のパラメトリック効果を利用した第１の超指向性スピーカと、
媒体に超音波を放射し、前記超音波が前記媒体を伝播する際のパラメトリック効果を利用した第２の超指向性スピーカと、
を備え、
前記第１の超指向性スピーカは第１の音軸上に位置して前記第１の音軸に沿って第１の音波を放射する第１の放射面を有して、かつ第１の最大音圧位置で前記第１の音波の音圧が最大となり、
前記第２の超指向性スピーカは第２の音軸上に位置して前記第２の音軸に沿って第２の音波を放射する第２の放射面を有して、かつ第２の最大音圧位置で前記第２の音波の音圧が最大となり、
前記第１の音軸の前記第１の放射面から前記第１の最大音圧位置までの部分と、前記第２の音軸の前記第２の放射面から前記第２の最大音圧位置までの部分とは重ならないように前記第１の超指向性スピーカと前記第２の超指向性スピーカが配置される、
音響再生装置。
【請求項１２】
媒体に超音波を放射し、前記超音波が前記媒体を伝播する際のパラメトリック効果を利用した超指向性スピーカと、
画像表示装置と、
前記画像表示装置を収納し、前記超指向性スピーカと結合された収納部と、
を備える音響再生装置。
【請求項１３】
前記画像表示装置は画像情報と音声情報を有し、かつ前記収納部と電気的に接続され、
前記収納部は前記音声情報を前記画像表示装置から取得し、前記超指向性スピーカは前記取得された音声情報を再生する、
請求項１２に記載の音響再生装置。
【発明の詳細な説明】
【技術分野】
【０００１】
媒体内を伝播する際の指向性が鋭い超音波と、音波が媒体内を伝播する際のパラメトリック効果を利用した超指向性スピーカを用いた音響再生装置に関する。
【背景技術】
【０００２】
従来、店舗等の陳列棚に商品の広告映像を表示する表示装置として、例えば、特許文献１に記載されているものがある。【０００３】
図８は従来の表示装置の斜視図である。以下に、図８を用いて従来の表示装置について説明する。【０００４】
図８において、表示装置１００は、液晶表示パネル１１１と、筐体１１２と、取り付け部１１３と、チルト調節部１１４を備える。液晶表示パネル１１１は水平走査線方向に一列に並べられた汎用の小型液晶パネルからなり、３つの液晶表示パネル１１１ａ、１１１ｂ、１１１ｃで構成される。筐体１１２は、液晶表示パネル１１１ａ、１１１ｂ、１１１ｃを同一平面上に固定する。取り付け部１１３は表示装置１００を固定する。チルト調節部１１４は、液晶表示パネル１１１の表示面の向きを調節する。【０００５】
表示装置１００は陳列棚に取り付けられ、制御部により陳列された商品の広告映像などを表示する。例えば、表示装置１００と音声情報を出力するスピーカを組み合わせて、画像情報と音声情報によって商品の広告情報を提供することが考えられる。
【先行技術文献】
【特許文献】
【０００６】
【特許文献１】特開２０１１−２７９５０号公報
【発明の概要】
【０００７】
音響再生装置は、他の音響再生装置と並設できる音響再生装置である。音響再生装置は、媒体に超音波を放射し、超音波が媒体を伝播する際のパラメトリック効果を利用した超指向性スピーカを有する。他の音響再生装置は、媒体に超音波を放射し、超音波が媒体を伝播する際のパラメトリック効果を利用した他の超指向性スピーカを有する。超指向性スピーカは音軸上に位置して音軸に沿って音波を放射する放射面を有して、かつ最大音圧位置で音波の音圧が最大となる。他の超指向性スピーカは他の音軸上に位置して他の音軸に沿って他の音波を放射する他の放射面を有して、かつ他の最大音圧位置で他の音波の音圧が最大となる。音軸の放射面から最大音圧位置までの部分と、他の音軸の他の放射面から他の最大音圧位置までの部分とは重ならないように前記超指向性スピーカが配置される。
【０００８】
この音響再生装置は、騒音感を低減することができる。
【図面の簡単な説明】
【０００９】
【図１】図１は実施の形態１における音響再生装置の、画像表示装置を装着する前の斜視図である。
【図２】図２は一般的な超指向性スピーカから放射される音圧の周波数特性図である。
【図３Ａ】図３Ａは実施の形態１における音響再生装置の超指向性スピーカの放射角特性図である。
【図３Ｂ】図３Ｂは指向性の広いスピーカの可聴音における放射角特性図である。
【図４Ａ】図４Ａは実施の形態１における音響再生装置の画像表示装置を収納部に装着した後の斜視図である。
【図４Ｂ】図４Ｂは実施の形態１における音響再生装置の上面図である。
【図５Ａ】図５Ａは実施の形態２における複数の音響再生装置を並設した際の上面図である。
【図５Ｂ】図５Ｂは実施の形態２における複数の音響再生装置を並設した際の斜視図である。
【図６】図６は実施の形態３における音響再生装置の斜視図である。
【図７】図７は実施の形態４における音響再生装置の斜視図である。
【図８】図８は従来の表示装置の斜視図である。
【発明を実施するための形態】
【００１０】
（実施の形態１）
図１は実施の形態１における音響再生装置１１の画像表示装置１９を装着する前の斜視図である。図１に示すように、実施の形態１における音響再生装置１１は、２つの超指向性スピーカ１３（第１の超指向性スピーカ、第２の超指向性スピーカ）と、筐体１２とを備える。２つの超指向性スピーカ１３は筐体１２内に収容されている。筐体１２は収納部１７を有し、収納部１７には画像表示装置１９が装着される。超指向性スピーカ１３は媒体内を伝播する際に指向性が鋭い超音波と、音波が媒体内を伝播する際のパラメトリック効果とを利用している。
【００１１】
従来の表示装置１００が店舗等の陳列棚に並べられて商品の広告映像を表示し、一般的なボイスコイルと振動板を用いた比較的指向性の広いスピーカを用いて音声情報を発する場合、その音声情報は広く周囲へ伝搬される。そのため、その商品に関心のない客にとっては騒音感を与えることになる。
【００１２】
実施の形態１の音響再生装置１１は、超指向性スピーカ１３から出力される音波の音場に位置しなければ、客にはその音波の音声情報がほとんど聞こえないので、客へ与える騒音感も低減される。
【００１３】
また、それぞれの超指向性スピーカ１３は、音軸（第１の音軸、第２の音軸）上に位置して、音軸に沿って音波を放射する放射面１５（第１の放射面、第２の放射面）を有する。放射されたそれぞれの音波は最大音圧位置（第１の最大音圧位置、第２の最大音圧位置）で音圧が最大となる。音響再生装置１１の２つの超指向性スピーカ１３は、それぞれの音軸の放射面１５から最大音圧位置までの部分が互いに重ならない方向に調節される。このようにすることで、２つの超指向性スピーカ１３からそれぞれ放射される音波の相互干渉が少なくなる。
【００１４】
以下、実施の形態１の音響再生装置１１の超指向性スピーカ１３の特性について説明する。
【００１５】
一般に、音波は振幅を大きくして空気や水等の媒体に放射すると、音波が媒体中を進むにつれて、媒体自体の弾性特性（圧力変化に対する体積変化）が線形でなく非線形な特性を持つ。媒体が非線形の特性を持つ影響で音波の波形が歪み、元の周波数成分以外の周波数成分を音波が持つようになる。この特性を音波のパラメトリック現象、あるいはパラメトリック効果と呼ぶ。
【００１６】
実施の形態１の音響再生装置１１の超指向性スピーカ１３はこの特性を利用している。すなわち、超指向性スピーカ１３から可聴音成分が超音波に重畳されて放射されると、放射された超音波は空気の弾性特性の非線形性の影響を受ける。超音波が空気中を進むにつれて搬送波である超音波の波形が歪むと共に、周波数の高い超音波成分から減衰する。超音波に重畳されている可聴音成分は超音波に比べて周波数は低いため、周波数の高い超音波成分から減衰することによって可聴音成分が再生されてくる。
【００１７】
次に、通常のスピーカから放射される音波の音圧と、超指向性スピーカ１３から放射される音波の音圧の変化の違いについて説明する。超音波を用いないで可聴音をそのまま再生する通常のスピーカでは、スピーカの位置での音圧が最も大きく、スピーカから距離が離れるにつれて音圧が小さくなる。これに対して、超指向性スピーカ１３から再生される可聴音の音圧特性は、通常のスピーカで再生される可聴音の音圧特性とは異なり、超指向性スピーカ１３から特定の距離の位置で最大となる特性をもつ。
【００１８】
図２は超指向性スピーカ１３から放射される音圧の周波数特性図である。図２に示される周波数特性図は、ホワイトノイズが４０ｋＨｚの超音波に重畳されて超指向性スピーカ１３から放射された場合に、空気などの媒体中で再生される可聴音の周波数特性の一例を示している。
【００１９】
図２において、横軸は周波数、縦軸は音圧（任意単位）を表しており、音が伝播する方向である音軸上において、超指向性スピーカ１３からの距離ごとに周波数特性が示されている。図２の点線は超指向性スピーカ１３からの距離が０．５ｍ、破線は１ｍ、実線は２ｍ、及び一点鎖線は３ｍの位置での周波数特性である。
【００２０】
図２に示すように、超指向性スピーカ１３から出力された可聴音の音圧は、特に約０．１ｋＨｚ以上の周波数で、図１に示す超指向性スピーカ１３の放射面１５からの距離が０．５ｍから１ｍへと離れるにつれて大きくなり、２ｍの位置で最大となる。さらに超指向性スピーカ１３の放射面１５からの距離が２ｍから３ｍへと離れると超指向性スピーカ１３から出力された可聴音の音圧は小さくなっている。
【００２１】
超指向性スピーカ１３の放射面１５から、音圧が最大となる最大音圧位置までの距離は超指向性スピーカの構成により変化する。以降では、実施の形態１の超指向性スピーカ１３は、放射面１５から最大音圧位置までの距離が１ｍに構成されているとする。
【００２２】
次に、通常のスピーカから放射される音波の指向性と超指向性スピーカ１３から放射される音波の指向性の違いについて説明する。超指向性スピーカ１３から放射される音は、通常のスピーカに比べて高い指向性を有する。
【００２３】
一般に、音波が媒質中を伝播する際には、音波の周波数が高いほど音軸から拡がることなく伝播する。すなわち、周波数が高い音波ほど、スピーカからの放射角は小さくなり指向性は高くなる。
【００２４】
超指向性スピーカ１３は可聴音よりも周波数の高い超音波を搬送波として用いている。そのため、超指向性スピーカが放射する音波の指向性は高く、空気の非線形特性の影響を受けて超音波の伝播の過程で生成される可聴音の指向性も高くなる。
【００２５】
図３Ａは実施の形態１における音響再生装置の超指向性スピーカ１３の放射角特性図である。図３Ｂは指向性の広いスピーカの可聴音における放射角特性図である。図３Ａ、図３Ｂにおいて、横軸は超指向性スピーカ１３からの放射角を表し、縦軸は超指向性スピーカ１３から放射された音波の音圧の大きさ（任意単位）を表している。図３Ａに示すように、超指向性スピーカ１３から放射された音波の音圧は、音波を放射する音軸（放射角＝０°）上がピークとなり、音軸からの放射角が約３０°の位置で、音圧は極端に小さくなる。
【００２６】
一方、超音波を用いない通常のスピーカにおける音軸に対する垂直方向の音圧は、図３Ｂに示すように音軸からの放射角が５０°程度まで大きく変化せず、５０°以上で緩やかに低下する特性となる。
【００２７】
このように超指向性スピーカ１３から放射される音は、通常のスピーカに比べて高い指向性を有する。以降では、超音波を搬送波として用いる指向性の狭いスピーカを超指向性スピーカ、指向性の狭いスピーカよりも指向性が広く、超音波を用いない通常のスピーカを通常スピーカと定義する。
【００２８】
次に、音響再生装置１１の構成についてより具体的に説明する。図４Ａは実施の形態１における音響再生装置１１の画像表示装置１９を収納部１７に装着した後の斜視図である。音響再生装置１１は上述した超指向性スピーカ１３と駆動制御部を内蔵し、駆動制御部によって超指向性スピーカ１３を駆動する。音響再生装置１１に音響信号が入力されると、駆動制御部により超指向性スピーカ１３から指向性の高い音声情報が出力される。
【００２９】
実施の形態１の音響再生装置１１において、２つの超指向性スピーカ１３は筐体１２の左右端にそれぞれ配置されている。音響再生装置１１は例えば商品の展示エリアに固定される。筐体１２の収納部１７はスリット形状に形成されている。収納部１７のスリット形状に画像表示装置１９の端部を図１の矢印方向に挿入することで、画像表示装置１９が収納部１７に収納固定される。画像表示装置１９は収納部１７に収納固定されると同時に音響再生装置１１と電気的に接続される。画像表示装置１９が音響再生装置１１と一体化して配置されることによって、両者を省スペースに設置することが可能となる。
【００３０】
画像表示装置１９は液晶の表示画面２１を備えており、広告映像を表示する。広告の画像情報と音響情報は、データとして画像表示装置１９に内蔵されている。画像表示装置１９を収納部１７から取り外すことで、広告内容の変更等が容易に可能となる。
【００３１】
収納部１７の底部、すなわちスリット形状の底部には、画像表示装置１９と電気的に接続される接点が設けられている。従って、画像表示装置１９から出力される音声情報の信号が収納部１７を介して音響再生装置１１に入力される。画像表示装置１９に通常スピーカが内蔵されている場合には、通常スピーカからの音声情報の出力が停止されるように駆動制御部によって制御してもよい。
【００３２】
このように音響再生装置１１に画像表示装置１９を別の構成とすることにより、画像表示装置１９を収納部１７から取り外すことで、広告の音響信号に対しても変更等が容易に可能となる。また、画像表示装置１９と電気的に接続される接点を汎用性のある構造とすることで、様々な表示デバイスを画像表示装置１９として用いることができる。
【００３３】
音響再生装置１１は画像表示装置１９と電気的に接続されることによって、収納部１７の接点を介して画像表示装置１９へ電力を供給する。従って、画像表示装置１９は電池等の電源を内蔵する必要がなくなる。
【００３４】
なお、音響再生装置１１への電力供給は筐体１２に電池を内蔵する構成としても良いし、系統電源を音響再生装置１１に接続する構成としても良い。また、例えば画像表示装置１９に電池を内蔵する構成とすれば、画像表示装置１９単体でも動作が可能となる。
【００３５】
図４Ｂは実施の形態１における音響再生装置の上面図である。超指向性スピーカ１３は、図３Ａに示したように、音の放射角が狭いので、超指向性スピーカ１３が形成する音場は、図４Ｂにおける破線で囲まれた狭い範囲となる。なお以降の各実施の形態において「音場」とは、超指向性スピーカ１３から放射される音波が存在している領域を指す。
【００３６】
図４Ｂにおいて、一点鎖線で示されている超指向性スピーカ１３のそれぞれの音軸２３上に客２５の耳が位置している。最大音圧位置２７は、音軸２３上であって、超指向性スピーカ１３から放射される可聴音の音圧が最大となる位置である。
【００３７】
客２５は最大音圧位置２７で広告情報を受け取る。より具体的には、最大音圧位置２７が、客２５が画像表示装置１９によって提供される画像情報を得られる適当な位置と一致するように音軸方向が調整される。
【００３８】
図４Ｂに示すように、超指向性スピーカ１３は、客２５の正面方向、すなわち画像表示装置１９の表示画面２１の内側へ向かう方向へ傾斜するように設けられている。そして、上記したように、超指向性スピーカ１３は高い指向性を有するので、超指向性スピーカ１３からの音声情報はほぼ客２５の正面方向にのみ届く。その結果、客２５は超指向性スピーカ１３のほぼ正面に位置する際にのみ音声情報を聞くことができる。超指向性スピーカ１３のほぼ正面に位置していない客には音声情報がほとんど聞こえないので、周囲へ与える騒音感も低減することができる。
【００３９】
また、音響再生装置１１の２つの超指向性スピーカ１３は、それぞれの音軸２３の放射面１５から最大音圧位置２７までの部分が互いに重ならない方向に調節される。例えば、２つの超指向性スピーカ１３のそれぞれの音軸２３は、図４Ｂに示すように、画像表示装置１９の表示画面２１の内側へ向かう方向へ傾斜し、かつ、それぞれの音軸２３の放射面１５から最大音圧位置２７までの部分が互いに重ならないように調整される。このようにすることで、２つの超指向性スピーカ１３からそれぞれ放射される音波の相互干渉が少なくなる。従って、客２５は２つの超指向性スピーカ１３から相互干渉が少ない音声情報を聞くことができる。なお、２つの超指向性スピーカ１３のそれぞれの音軸２３は、それぞれの放射面１５から最大音圧位置２７までの部分が重ならなければ、画像表示装置１９の表示画面２１の内側へ向かう方向へ傾斜していなくてもよい。例えば、２つの超指向性スピーカ１３のそれぞれの音軸２３は互いに平行でもよい。また、それぞれの放射面１５から最大音圧位置２７までの部分が重ならない限り、画像表示装置１９の表示画面２１から遠ざかる方向へ傾斜していてもよい。
【００４０】
また、超指向性スピーカ１３は、超音波を搬送波として空気中を伝播する過程で、空気の弾性特性の非線形性により、可聴音を再生する。そのため、超指向性スピーカ１３により再生される可聴音は、可聴音だけで伝播している周囲の音による干渉が非常に少ない。従って、客２５は周囲の音による干渉の影響が少ない音声情報を聞くことができるので、客２５に対する広告の注目喚起が図れる。
【００４１】
また、商品に興味のない客は、超指向性スピーカ１３のほぼ正面に位置しない限り、音声情報がほとんど聞こえないので、客に与える騒音感を低減することができる。すなわち、商品に興味のない客は、その商品の広告の画像情報と音声情報を提供している音響再生装置１１の前を通り過ぎる可能性が高い。この場合、客が最大音圧位置２７に留まる時間は短いため、たとえ最大音圧位置２７を通り過ぎても音声情報は商品に興味のない客にほとんど聞こえない。超指向性スピーカ１３から放射される音声情報は最大音圧位置２７で最もよく聞こえ、そこから離れるほど音圧は低下する。従って、商品に興味のない客が最大音圧位置２７から離れた場所を通り過ぎる場合、より一層、音声情報はその客に届きにくくなる。これらのことから、商品に興味のない客に対する騒音感を低減することができる。
【００４２】
このように、２つの超指向性スピーカ１３のそれぞれの音軸のそれぞれの放射面１５から最大音圧位置までの部分が互いに重ならない方向に調節することによって、２つの超指向性スピーカ１３からそれぞれ放射される音波の相互干渉が少なくなる。また、超指向性スピーカ１３から放射される音波は高い指向性を有するので、放射された音波と周囲の音との相互干渉が少なくなる。これによって、商品に興味のある客は周囲の音による干渉の影響が少ない音声情報を聞くことができるので、客２５に対する広告の注目喚起が図れる。また、商品に興味のない客に対する騒音感を低減することができる。
【００４３】
なお、実施の形態１では、筐体１２の左右に超指向性スピーカ１３を設ける構成としたが、これに限定されるものではない。１つの超指向性スピーカ１３を筐体１２に設けてもよい。または３つ以上の超指向性スピーカ１３を筐体１２に設けてもよい。また、音響再生装置１１の収納部１７に対する配置も図１のものに限定されるものではなく、例えば収納部１７の前面や上下等に配置しても良い。
【００４４】
また、実施の形態１では、超指向性スピーカ１３と収納部１７が１つの筐体１２に一体に構成されているが、これは別々の構造としても良い。
【００４５】
また、実施の形態１では、画像表示装置１９を収納部１７に挿入固定した際には、駆動制御部が画像表示装置１９に内蔵した通常スピーカからの音声情報の再生を停止しているが、これに限られない。例えば、駆動制御部は、画像表示装置１９の通常スピーカからの音声情報と超指向性スピーカ１３からの音声情報との再生を同時に行なうように制御しても良い。この場合、超指向性スピーカ１３からの音声情報と画像表示装置１９の通常スピーカからの音声情報が重なることで立体感のある音響再生が可能となる。
【００４６】
また、実施の形態１において画像表示装置１９は、映像の再生が可能な画面を有する画像表示装置であればよい。例えばタブレット端末やスマートフォン、小型液晶テレビ、デジタルフォトフレーム等のディスプレイデバイスを有する電子機器であればよい。
【００４７】
また、実施の形態１では、画像表示装置１９が広告の画像情報と音声情報のデータを保持し、音声情報の信号を、収納部１７を経由して音響再生装置１１に出力する構成としたがこれに限定されない。例えば、音響再生装置１１が広告の画像情報と音声情報のデータの一方または両方を保持する構成としても良い。音響再生装置１１が広告の画像情報と音声情報のデータのいずれか一方を保持し、画像表示装置１９が他方を保持する場合、画像情報のデータと音声情報のデータとが別々の構成にそれぞれ保持されることになる。そのため、両者を独立して出力する場合は問題ないが、両者を同期して出力する際には、音響再生装置１１と画像表示装置１９とが同期できる構成としておく必要がある。
【００４８】
また実施の形態１では、画像表示装置１９は音響再生装置１１と別の構成としたが、画像表示装置１９を音響再生装置１１の構成に含めてもよい。
【００４９】
また、広告の画像情報と音声情報のデータは外部より有線、または無線によって音響再生装置１１に入力されてもよい。このようにすることでも、容易に広告情報の更新または変更を行うことができる。
【００５０】
また、実施の形態１の音響再生装置１１によって表示、再生される画像情報と音声情報は広告用としたが、これに限られない。広告用に適用する以外にも、例えば、持ち運んで自由な場所に設置して映画などの動画の映像情報と音声情報を楽しむ個人的な用途に適用しても良い。超指向性スピーカ１３により、その音響再生装置１１の使用者だけに音声情報が出力されるので、周囲の人へ与える騒音感を低減できる。さらに、画像表示装置１９に内蔵された通常スピーカからの音響再生も同時に行なうと、立体的な音声情報の再生が可能となる。
【００５１】
また例えば、画像表示装置１９としてカーナビゲーションを用いてもよい。すなわち、車両に設けられた収納部１７にカーナビゲーションを装着し、カーナビゲーションの音声情報を超指向性スピーカ１３から運転手の方向へ出力することで、運転手のみにナビゲーション情報を届けることができる。特に、超指向性スピーカ１３によって、ナビゲーション情報が周りの雑音と干渉することなく運転手に届けられるため、運転手は確実にナビゲーション情報を受け取ることができる。また、運転手以外にはナビゲーション情報はほとんど聞こえないので、音楽などの他の音声情報を楽しむことできる。
【００５２】
（実施の形態２）
以下、実施の形態２の音響再生装置ユニットについて図面を用いて説明する。
【００５３】
図５Ａは、実施の形態１における複数の音響再生装置１１を並設した音響再生装置ユニットの上面図である。音響再生装置ユニットに含まれる複数の音響再生装置１１は、隣りあう超指向性スピーカのそれぞれの音軸の放射面から最大音圧位置までの部分が互いに重ならないように配置されている。
【００５４】
図８に示す従来の表示装置１００が店舗等の陳列棚に並べられて商品の広告映像を表示する場合は、商品毎に並設された液晶表示パネル１１１ａ、１１１ｂ、１１１ｃは、互いに近接する。商品の広告映像を表示するだけであれば従来の表示装置１００の構成でも構わないが、商品毎に異なる音声情報（音声、音楽、効果音等）を出力する場合は次のような課題がある。すなわち、一般的なボイスコイルと振動板を用いた比較的指向性の広い通常スピーカを、液晶表示パネル１１１ａ、１１１ｂ、１１１ｃのそれぞれの近傍に配置した場合、相互に異なる音声情報を同時に出力すると、それらの音声が混じり合う。その結果、それらの音声を聞く客にとって、それぞれの商品に関する音声情報の内容を聞き分けることが困難である。
【００５５】
実施の形態２の音響再生装置ユニットはこれらの課題を解決するものである。以下、より具体的に実施の形態２の音響再生装置ユニットの構成について説明する。
【００５６】
図５Ａにおいて、音響再生装置１１Ａ（第１の音響再生装置）と音響再生装置１１Ｂ（第２の音響再生装置、他の音響再生装置）は音響再生装置ユニットを構成し互いに並設される。音響再生装置１１Ａと音響再生装置１１Ｂは実施の形態１の音響再生装置１１と同じ構成である。以降、音響再生装置１１Ａ、１１Ｂのそれぞれに共通の説明については「音響再生装置１１」として実施の形態１と同じ符号を用いて説明する。音響再生装置１１Ａに設けられた超指向性スピーカ１３Ａ１、１３Ａ２（第１の超指向性スピーカ）と、音響再生装置１１Ｂに設けられた超指向性スピーカ１３Ｂ１、１３Ｂ２（第２の超指向性スピーカ、他の超指向性スピーカ）のそれぞれの音場を破線で示す。
【００５７】
音響再生装置１１Ａの超指向性スピーカ１３Ａ１の音軸２３Ａ１（第１の音軸）の放射面１５Ａ１（第１の放射面）から最大音圧位置２７Ａ１（第１の最大音圧位置）までの部分を部分ＬＡ１とする。音響再生装置１１Ａの超指向性スピーカ１３Ａ２の音軸２３Ａ２の放射面１５Ａ２から最大音圧位置２７Ａ２までの部分を部分ＬＡ２とする。音響再生装置１１Ｂの超指向性スピーカ１３Ｂ１の音軸２３Ｂ１（第２の音軸、他の恩軸））の放射面１５Ｂ１（第２の放射面、他の放射面）から最大音圧位置２７Ｂ１(第２の最大音圧位置、他の最大音圧位置)までの部分を部分ＬＢ１とする。音響再生装置１１Ｂの超指向性スピーカ１３Ｂ２の音軸２３Ｂ２の放射面１５Ｂ２から最大音圧位置２７Ｂ２までの部分を部分ＬＢ２とする。
【００５８】
実施の形態２の音響再生装置ユニットにおいては、部分ＬＡ１、ＬＡ２、ＬＢ１、ＬＢ２のうちのどの２つの部分も交わらないように調整される。以下に、その詳細について説明する。
【００５９】
実施の形態１の音響再生装置１１の２つの超指向性スピーカ１３においては、それぞれの音軸２３が平行であってもよい。このように構成しても同じ音響再生装置１１に設けられた隣り合う超指向性スピーカ１３の音軸２３が重なることはない。しかし、実施の形態２の音響再生装置ユニットのように、複数の音響再生装置１１を並設させた場合には、並設される音響再生装置の隣り合う超指向性スピーカ１３の音軸２３が接近する場合がある。すなわち、音響再生装置１１Ａの超指向性スピーカ１３Ａ２の音軸２３Ａ２と音響再生装置１１Ｂの超指向性スピーカ１３Ｂ１の音軸２３Ｂ１は互いに近接する。接近した音軸２３Ａ２と音軸２３Ｂ１のそれぞれの音圧最大位置の近傍に客がいる場合は、異なる種類の音声情報が混在して聞こえる可能性がある。
【００６０】
よって、実施の形態２の音響再生装置ユニットにおいては、それぞれの音響再生装置１１が有する超指向性スピーカ１３の音軸２３を画像表示装置１９の表示画面２１の内側に向かう方向に傾斜するように調整される。すなわち、音響再生装置１１Ａの音軸２３Ａ１、２３Ａ２は画像表示装置１９Ａの表示画面の内側に向かう方向に傾斜するように調整される。音響再生装置１１Ｂの音軸２３Ｂ１、２３Ｂ２は画像表示装置１９Ｂの表示画面の内側に向かう方向に傾斜するように調整される。
【００６１】
このようにすることで、隣り合う超指向性スピーカ１３Ａ２の音軸２３Ａ２と超指向性スピーカ１３Ｂ１の音軸２３Ｂ１の方向は互いに遠ざかる方向となるので、異なる音声情報が干渉する可能性が更に低減される。これにより、複数の音響再生装置１１が近接して並設されても、音声情報を受ける客は音声情報を聞き分けることができ、かつ、客へ与える騒音感を低減することができる。
【００６２】
すなわち、複数の音響再生装置１１が並設され、それぞれの音響再生装置１１から異なる広告の音声情報が提供されても、それぞれの超指向性スピーカ１３からの音声情報は、その指向性の高さによって客２５のほぼ正面方向にしか届かない。そのため、音響再生装置１１Ａの正面方向に位置し、音響再生装置１１Ａから再生される音声情報を聞いている客２５Ａには、隣の音響再生装置１１Ｂからの音声情報がほとんど聞こえない。従って、隣の音響再生装置１１Ｂからの音声情報が混じることなく、客２５Ａは正面の音響再生装置１１Ａからの音声情報を聞き分けることができる。
【００６３】
また、複数の音響再生装置１１の音軸２３における超指向性スピーカ１３の音波の放射面１５から最大音圧位置２７までの部分ＬＡ１、ＬＡ２、ＬＢ１、ＬＢ２が互いに重ならない方向に調節される。従って、並設された複数の音響再生装置１１において互いに並設される音響再生装置１１からの音声情報は、それぞれ異なる方向に放射され、それぞれの音声情報は互いに干渉しにくくなる。これらのことから、複数の音声情報が同時に出力されても、客２５には、ほぼ最大音圧の位置の音声情報のみを聞きとることができ、他の音声情報はほとんど聞こえない。よって客２５は興味のある商品に関する音声情報を他の音声情報と聞き分けることができるので、商品の訴求効果を得ることが可能である。また、最大音圧の位置にいなければ、その客には音声情報がほとんど聞こえないので、客への騒音感も低減することが可能な音響再生装置ユニットを実現できる。
【００６４】
図５Ａにおいて、２つの超指向性スピーカ１３は音響再生装置１１の筐体１２の左右に設けられるが、これに限定されるものではい。例えば１つまたは複数の超指向性スピーカ１３を収納部１７の前面の上と下の少なくとも一方などに配置しても良い。これらによっても、実施の形態２と同じ効果が得られる。ただし、この場合も超指向性スピーカ１３の放射面から最大音圧の位置までの音波の音軸２３が、並設される他の音響再生装置１１における音軸２３と互いに重ならないように、超指向性スピーカ１３の音軸２３の方向を予め調節しておく必要がある。
【００６５】
また、実施の形態２においても、実施の形態１と同様に、音響再生装置１１と収納部１７が一体の構成としたが、これは別体でも良い。これによっても、実施の形態２と同じ効果が得られる。ただし、この場合も超指向性スピーカ１３の放射面から最大音圧の位置までの音波の音軸２３が、並設される他の音響再生装置１１における音軸２３と互いに重ならないように、超指向性スピーカ１３の音軸２３の方向、即ち音響再生装置１１の音波の放射面の方向を予め調節しておく必要がある。
【００６６】
また、実施の形態２では、収納部１７に画像表示装置１９を挿入固定する構成としたが、これに限定されるものではなく、音響再生装置１１のみを商品の展示エリアに設置し、音声情報のみによる広告訴求を行っても良い。これによっても、実施の形態２と同様の効果が得られる。この場合、音声情報のデータは音響再生装置１１に内蔵するか、または無線や有線で配信する必要がある。
【００６７】
また、実施の形態２の音響再生装置１１においても、実施の形態１と同様に、広告用に適用する以外にも、持ち運んで自由な場所に設置して映像情報と音声情報を楽しむ個人的な用途に適用しても良い。この場合、上記したように、左右の超指向性スピーカ１３は音波の放射面から図５Ａに示す最大音圧位置２７までの各音軸２３が重ならないように音軸方向が調節されているので、自分だけにステレオの音声情報が出力される。従って、周囲への騒音感を低減できる。
【００６８】
画像表示装置１９に内蔵された通常スピーカからの音響再生も超指向性スピーカ１３の音響再生と同時に行なうと、立体的な音声情報の再生が可能となる。この場合、画像表示装置１９の通常スピーカからの音響再生によって、他の通常スピーカから再生される音響が干渉されることを低減する必要がある。すなわち、音響再生装置１１の設置間隔を広げたり、画像表示装置１９の通常スピーカの音量を干渉や騒音感が少なくなるように調節したりする必要がある。
【００６９】
また、実施の形態２においても、実施の形態１と同様に、音響再生装置１１に設けられる超指向性スピーカ１３の数は２つに限定されるものではない。例えば、１つの超指向性スピーカ１３を筐体１２に設けてもよい。または３つ以上の超指向性スピーカ１３を筐体１２に設けてもよい。
【００７０】
図５Ｂは実施の形態２における複数の音響再生装置４１を並設した際の斜視図である。複数の音響再生装置４１はそれぞれ超指向性スピーカ１３を１つずつ有する。図５Ｂに示すように音響再生装置４１Ａは超指向性スピーカ１３Ａを有し、音響再生装置４１Ａと並設されている他の音響再生装置４１Ｂは超指向性スピーカ１３Ｂを有する。超指向性スピーカ１３Ａ、１３Ｂはそれぞれ音軸上に位置し、音軸に沿って音波を放射する放射面を有して、かつ最大音圧位置で音波の音圧が最大となる。図５Ｂに示すように、複数の音響再生装置がそれぞれ１つずつ超指向性スピーカを有する場合も、超指向性スピーカ１３Ａの音軸の放射面から最大音圧位置までの部分と、超指向性スピーカ１３Ｂの音軸の放射面から最大音圧位置までの部分とは重ならないように調整される。このようにすることで、上述した実施の形態１の効果と同様の効果が得られる。
【００７１】
以上のように複数の音響再生装置が並設される場合は、それぞれの音響再生装置が有する超指向性スピーカの数に関わらず、それぞれの超指向性スピーカの音軸を上述したように調整することで、上述した実施の形態１の効果と同様の効果が得られる。また、互いに並設される音響再生装置において、それぞれが有する超指向性スピーカの数は同数でなくてもよい。
【００７２】
（実施の形態３）
図６は、発明の実施の形態３における音響再生装置の斜視図である。なお、図６において、実施の形態１と同じ構成要素には同じ符号を付して、詳細な説明を省略する。
【００７３】
実施の形態３の音響再生装置１１は、実施の形態１の音響再生装置の構成に加えて、筐体１２が脚部２９を更に備える。脚部２９によって、音響再生装置１１の設置自由度を増すことができる。
【００７４】
以下、より具体的に実施の形態３の特徴となる構成について説明する。図６は、筐体１２の収納部１７に画像表示装置１９を挿入固定した状態の斜視図を示す。図６において、筐体１２の下部に四角形の平板状の脚部２９が設けられている。脚部２９は筐体１２に対して、図６に示す矢印方向に回転できるように取り付けられている。すなわち、音響再生装置１１の載置面に対して平行な面内を回転できるように取り付けられている。そして、商品の展示エリア等に音響再生装置１１を配置する場合は、図６に示すように脚部２９が筐体１２の長手方向に対して直角方向になるように回転させておく。これにより、音響再生装置１１の設置自由度が増す。
【００７５】
また、例えば陳列棚の一部に音響再生装置１１を取り付ける場合は、脚部２９が筐体１２の長手方向と平行方向になるように回転させておく。これにより、陳列棚と脚部２９が干渉することなく安定して取り付けられると共に、客が脚部２９に引っかかる可能性も低減できる。
【００７６】
なお、音響再生装置１１の具体的な動作は実施の形態１と同じである。また、超指向性スピーカ１３の音軸方向の調節は、実施の形態１、２と同様に行うことができる。
【００７７】
ただし、音響再生装置１１の電源は、実施の形態１で述べたように、系統電源でも電池でも良いが、電池を電源とすることで、実施の形態３における設置自由度の向上させることができる。
【００７８】
以上の構成、動作により、近接して並設されても音声情報を聞き分けることができ、かつ、騒音感を低減することができる上に、設置自由度を増すことが可能な音響再生装置１１を実現できる。
【００７９】
なお、実施の形態３において、音響再生装置１１に設けられる脚部２９の数は２個としたが、これに限定されるものではない。例えば、脚部２９の幅が広ければ１個でも良いし、幅の狭い脚部２９を３個以上設けるようにしても良い。さらに、脚部２９の形状も四角形の平板に限定されるものではなく、音響再生装置１１を平面上に設置できる形状であれば、楕円形の平板などの他の形状であっても良い。
【００８０】
また、実施の形態１、２と同様に、広告用に適用する以外にも、持ち運んで自由な場所に設置して映像情報と音声情報を楽しむ個人的な用途に適用しても良い。これによっても、実施の形態１、２で述べた同様の効果が得られる。実施の形態３の音響再生装置１１は、筐体１２に備えた脚部２９によって設置自由度が増すので、より様々な場所に設置することができる。
【００８１】
（実施の形態４）
図７は、実施の形態４における音響再生装置の斜視図である。図７において、実施の形態１と同じ構成要素には同じ符号を付して、詳細な説明を省略する。
【００８２】
実施の形態４における音響再生装置５１は、筐体１２が画像表示部３１を内蔵している点で、実施の形態１と異なる。筐体１２が画像表示部３１を内蔵することで、音響再生装置５１の小型化が可能となる。
【００８３】
以下、より具体的に本実施の形態４の特徴となる構成について説明する。
【００８４】
図７において、音響再生装置５１は液晶の画像表示部３１と超指向性スピーカ１３とが内蔵された筐体１２を有する。２つの超指向性スピーカ１３は画像表示部３１の左右にそれぞれ設けられている。実施の形態１〜３で説明した収納部１７は、実施の形態４においては不要となる。なお、超指向性スピーカ１３の音軸方向の調節を行う構成の場合は、実施の形態２と同様にすれば良い。
【００８５】
画像情報と音声情報のデータは音響再生装置５１に保持される。音響再生装置５１への給電は音響再生装置５１に内蔵された電池によって給電しても、系統電源によって給電してもよい。具体的には、電源が電池であれば、電池が音響再生装置５１に内蔵される。また、電源が系統電源であれば、系統電源からの配線が音響再生装置５１に接続される。
【００８６】
実施の形態４における音響再生装置５１は、例えばタブレット端末に超指向性スピーカ１３を内蔵した構成と同等である。すなわち音響再生装置５１は筐体１２に内蔵された画像情報と音声情報との両方を有し、音響再生装置５１の制御部が、画像表示部３１から画像情報を、２つの超指向性スピーカ１３から音声情報を、それぞれ連動させて再生する。画像情報と音声情報とを連動させて再生することにより、画像情報と音声情報とから成る広告情報をより効果的に客に伝えることができる。
【００８７】
音響再生装置５１には収納部１７がないため、陳列棚に設置される場合には、例えば音響再生装置５１の背面に取り付け部材を設けて、陳列棚に設置してもよい。これにより、音響再生装置５１が陳列棚から容易に取り外せないので、電池を内蔵しても盗難可能性を低減することができる。
【００８８】
音響再生装置５１の具体的な動作については、実施の形態１、２と同じであるので説明を省略する。
【００８９】
以上の構成、動作により、実施の形態４の音響再生装置５１は小型化により陳列棚への取り付けが容易な音響再生装置５１を実現できる。また、上述の実施の形態１〜３の構成を加えることによって、近接して並設されても音声情報を聞き分けることができ、かつ、騒音感を低減することができる。
【００９０】
すなわち、本実施の形態４においても、実施の形態３と同様に、音響再生装置５１の下部に収納可能な脚部を設ける構成としても良い。この場合、音響再生装置５１の平面上への設置固定も可能となる。
【００９１】
また、本実施の形態４の音響再生装置５１は、上記したように、その形態が例えばタブレット端末と同等であるので、実施の形態１、２で述べたように、音響再生装置５１を広告用に適用する以外にも、持ち運んで自由な場所に設置して映像情報と音声情報を楽しむ個人的な用途に適用しても良い。これによっても、実施の形態１、２で述べた同様の効果が得られる。
【００９２】
また、実施の形態１〜４では、表示画面２１や画像表示部３１が液晶からなる構成としたが、これに限定されるものではなく、例えば有機ＥＬや電子ペーパー等のディスプレイデバイスでも良い。
【００９３】
以上のように、実施の形態１〜４の音響再生装置によれば、超指向性スピーカを用いることによって周囲の音との相互干渉が少なくなる。さらに、複数の音響再生装置を並設させる場合は、超指向性スピーカの音軸の音波の放射面から最大音圧の位置までの部分が互いに重ならない方向に調節する。これによって、並設され互いに隣り合う音響再生装置からの音声情報は、それぞれ異なる方向に放射される。このように複数の音声情報が同時に出力されても、客には、ほぼ最大音圧の位置の音声情報のみを聞き取ることができ、他の音声情報はほとんど聞こえないので、音声情報による商品訴求効果が得られる。また、最大音圧の位置にいなければ、客には音声情報がほとんど聞こえないので、客への騒音感も低減される。
【００９４】
以上のことから、実施の形態１〜４の音響再生装置によれば、近接して並設されても音声情報を聞き分けることができ、かつ、騒音感を低減することができる。
【産業上の利用可能性】
【００９５】
本発明の音響再生装置は、近接して並設されても音声情報を聞き分けることができ、かつ、騒音感を低減することができるので、特に、複数が並設され、互いに異なる音声情報を出力する音響再生装置として有用である。この音響再生装置は店舗や街路のデジタルサイネージや、博物館の展示などに利用することができる。
【符号の説明】
【００９６】
１１，４１，５１    音響再生装置
１１Ａ，４１Ａ    音響再生装置
１１Ｂ，４１Ｂ    音響再生装置
１２    筐体
１３    超指向性スピーカ
１３Ａ，１３Ａ１，１３Ａ２    超指向性スピーカ
１３Ｂ，１３Ｂ１，１３Ｂ２    超指向性スピーカ
１５    放射面
１５Ａ１，１５Ａ２    放射面
１５Ｂ１，１５Ｂ２    放射面
１７    収納部
１９，１９Ａ，１９Ｂ    画像表示装置
２１    表示画面
２３    音軸
２３Ａ１，２３Ａ２    音軸
２３Ｂ１，２３Ｂ２    音軸
２７    最大音圧位置
２７Ａ１，２７Ａ２    最大音圧位置
２７Ｂ１，２７Ｂ２    最大音圧位置
２９    脚部
３１    画像表示部
【図１】
2012157219.tif 000003
【図２】
2012157219.tif 000004
【図３Ａ】
2012157219.tif 000005
【図３Ｂ】
2012157219.tif 000006
【図４Ａ】
2012157219.tif 000007
【図４Ｂ】
2012157219.tif 000008
【図５Ａ】
2012157219.tif 000009
【図５Ｂ】
2012157219.tif 000010
【図６】
2012157219.tif 000011
【図７】
2012157219.tif 000012
【図８】
2012157219.tif 000013
【手続補正書】
【提出日】平成24年7月19日(2012.7.19)
【手続補正１】
【補正対象書類名】明細書
【補正対象項目名】０００７
【補正方法】変更
【補正の内容】
【０００７】
音響再生装置は、他の音響再生装置と並設できる音響再生装置である。音響再生装置は、媒体に超音波を放射し、超音波が媒体を伝播する際のパラメトリック効果を利用した超指向性スピーカを有する。他の音響再生装置は、媒体に超音波を放射し、超音波が媒体を伝播する際のパラメトリック効果を利用した他の超指向性スピーカを有する。超指向性スピーカは音軸上に位置して音軸に沿って音波を放射する放射面を有して、かつ最大音圧位置で音波の音圧が最大となる。他の超指向性スピーカは他の音軸上に位置して他の音軸に沿って他の音波を放射する他の放射面を有して、かつ他の最大音圧位置で他の音波の音圧が最大となる。音軸の放射面から最大音圧位置までの部分と、他の音軸の他の放射面から他の最大音圧位置までの部分とは重ならず、音軸の最大音圧位置以降の部分と、他の音軸の他の最大音圧位置以降の部分とが重なる部分を有するように前記超指向性スピーカが配置される。
【手続補正２】
【補正対象書類名】明細書
【補正対象項目名】００３９
【補正方法】変更
【補正の内容】
【００３９】
また、音響再生装置１１の２つの超指向性スピーカ１３は、それぞれの音軸２３の放射面１５から最大音圧位置２７までの部分が互いに重ならない方向に調節される。例えば、２つの超指向性スピーカ１３のそれぞれの音軸２３は、図４Ｂに示すように、画像表示装置１９の表示画面２１の内側へ向かう方向へ傾斜し、かつ、それぞれの音軸２３の放射面１５から最大音圧位置２７までの部分が互いに重ならないように調整される。このようにすることで、２つの超指向性スピーカ１３からそれぞれ放射される音波の相互干渉が少なくなる。従って、客２５は２つの超指向性スピーカ１３から相互干渉が少ない音声情報を聞くことができる。
【手続補正３】
【補正対象書類名】明細書
【補正対象項目名】００５７
【補正方法】変更
【補正の内容】
【００５７】
音響再生装置１１Ａの超指向性スピーカ１３Ａ１の音軸２３Ａ１（第１の音軸）の放射面１５Ａ１（第１の放射面）から最大音圧位置２７Ａ１（第１の最大音圧位置）までの部分を部分ＬＡ１とする。音響再生装置１１Ａの超指向性スピーカ１３Ａ２の音軸２３Ａ２の放射面１５Ａ２から最大音圧位置２７Ａ２までの部分を部分ＬＡ２とする。音響再生装置１１Ｂの超指向性スピーカ１３Ｂ１の音軸２３Ｂ１（第２の音軸、他の音軸）の放射面１５Ｂ１（第２の放射面、他の放射面）から最大音圧位置２７Ｂ１(第２の最大音圧位置、他の最大音圧位置)までの部分を部分ＬＢ１とする。音響再生装置１１Ｂの超指向性スピーカ１３Ｂ２の音軸２３Ｂ２の放射面１５Ｂ２から最大音圧位置２７Ｂ２までの部分を部分ＬＢ２とする。
【手続補正４】
【補正対象書類名】特許請求の範囲
【補正対象項目名】全文
【補正方法】変更
【補正の内容】
【特許請求の範囲】
【請求項１】
音響再生装置であり、他の音響再生装置と並設できる音響再生装置において、
前記音響再生装置は、媒体に超音波を放射し、前記超音波が前記媒体を伝播する際のパラメトリック効果を利用した超指向性スピーカを備え、
前記他の音響再生装置は、媒体に超音波を放射し、前記超音波が前記媒体を伝播する際のパラメトリック効果を利用した他の超指向性スピーカを備え、
前記超指向性スピーカは音軸上に位置して前記音軸に沿って音波を放射する放射面を有して、かつ最大音圧位置で前記音波の音圧が最大となり、
前記他の超指向性スピーカは他の音軸上に位置して前記他の音軸に沿って他の音波を放射する他の放射面を有して、かつ他の最大音圧位置で前記他の音波の音圧が最大となり、
前記音軸の前記放射面から前記最大音圧位置までの部分と、前記他の音軸の前記他の放射面から前記他の最大音圧位置までの部分とは重ならず、前記音軸の前記最大音圧位置以降の部分と、前記他の音軸の前記他の最大音圧位置以降の部分とが重なる部分を有するように前記超指向性スピーカが配置される、
音響再生装置。
【請求項２】
前記超指向性スピーカを収容する筐体と、
前記筐体に内蔵された画像表示部と、
をさらに備えた、
請求項１に記載の音響再生装置。
【請求項３】
前記超指向性スピーカを収容する筐体と、
画像情報と音声情報を有する画像表示装置と、
をさらに備え、
前記筐体は前記画像表示装置を収納する収納部を有し、
前記収納部と前記画像表示装置とは電気的に接続され、
前記収納部は前記音声情報を前記画像表示装置から取得し、前記超指向性スピーカは前記取得された音声情報を再生する、
請求項１に記載の音響再生装置。
【請求項４】
前記画像表示装置は前記収納部からのみ電力が供給される、
請求項３に記載の音響再生装置。
【請求項５】
前記筐体は脚部を有する、
請求項３に記載の音響再生装置。
【請求項６】
媒体に超音波を放射し、前記超音波が前記媒体を伝播する際のパラメトリック効果を利用した第１の超指向性スピーカを有する第１の音響再生装置と、
媒体に超音波を放射し、前記超音波が前記媒体を伝播する際のパラメトリック効果を利用した第２の超指向性スピーカを有し、前記第１の音響再生装置と並設された第２の音響再生装置と、
を備え、
前記第１の超指向性スピーカは第１の音軸上に位置して前記第１の音軸に沿って第１の音波を放射する第１の放射面を有して、かつ第１の最大音圧位置で前記第１の音波の音圧が最大となり、
前記第２の超指向性スピーカは第２の音軸上に位置して前記第２の音軸に沿って第２の音波を放射する第２の放射面を有して、かつ第２の最大音圧位置で前記第２の音波の音圧が最大となり、
前記第１の音軸の前記第１の放射面から前記第１の最大音圧位置までの部分と、前記第２の音軸の前記第２の放射面から前記第２の最大音圧位置までの部分とは重ならず、前記第１の音軸の前記第１の最大音圧位置以降の部分と、前記第２の音軸の前記第２の最大音圧位置以降の部分とが重なる部分を有するように前記第１の音響再生装置と前記第２の音響再生装置が配置される、
音響再生装置ユニット。
【請求項７】
前記第１の音響再生装置は、
前記第１の超指向性スピーカを収容する第１の筐体と、
前記第１の筐体に内蔵された第１の画像表示部と、
をさらに有し、
前記第２の音響再生装置は、
前記第２の超指向性スピーカを収容する第２の筐体と、
前記第２の筐体に内蔵された第２の画像表示部と、
をさらに有する、
請求項６に記載の音響再生装置ユニット。
【請求項８】
前記第１の音響再生装置は、
前記第１の超指向性スピーカを収容する第１の筐体と、
第１の画像情報と第１の音声情報を有する第１の画像表示装置と、
をさらに有し、
前記第１の筐体は前記第１の画像表示装置を収納する第１の収納部を有し、
前記第１の収納部と前記第１の画像表示装置とは電気的に接続され、
前記第１の収納部は前記第１の音声情報を前記第１の画像表示装置から取得し、前記第１の超指向性スピーカは前記取得された第１の音声情報を再生し、
前記第２の音響再生装置は、
前記第２の超指向性スピーカを収容する第２の筐体と、
第２の画像情報と第２の音声情報を有する第２の画像表示装置と、
をさらに有し、
前記第２の筐体は前記第２の画像表示装置を収納する第２の収納部を有し、
前記第２の収納部と前記第２の画像表示装置とは電気的に接続され、
前記第２の収納部は前記第２の音声情報を前記第２の画像表示装置から取得し、前記第２の超指向性スピーカは前記取得された第２の音声情報を再生する、
請求項６に記載の音響再生装置ユニット。
【請求項９】
前記第１の画像表示装置は前記第１の収納部からのみ電力が供給され、
前記第２の画像表示装置は前記第２の収納部からのみ電力が供給される、
請求項６に記載の音響再生装置ユニット。
【請求項１０】
前記第１の筐体は第１の脚部を有し、
前記第２の筐体は第２の脚部を有する、
請求項６に記載の音響再生装置ユニット。
【請求項１１】
媒体に超音波を放射し、前記超音波が前記媒体を伝播する際のパラメトリック効果を利用した第１の超指向性スピーカと、
媒体に超音波を放射し、前記超音波が前記媒体を伝播する際のパラメトリック効果を利用した第２の超指向性スピーカと、
を備え、
前記第１の超指向性スピーカは第１の音軸上に位置して前記第１の音軸に沿って第１の音波を放射する第１の放射面を有して、かつ第１の最大音圧位置で前記第１の音波の音圧が最大となり、
前記第２の超指向性スピーカは第２の音軸上に位置して前記第２の音軸に沿って第２の音波を放射する第２の放射面を有して、かつ第２の最大音圧位置で前記第２の音波の音圧が最大となり、
前記第１の音軸の前記第１の放射面から前記第１の最大音圧位置までの部分と、前記第２の音軸の前記第２の放射面から前記第２の最大音圧位置までの部分とは重ならず、前記第１の音軸の前記第１の最大音圧位置以降の部分と、前記第２の音軸の前記第２の最大音圧位置以降の部分とが重なる部分を有するように前記第１の超指向性スピーカと前記第２の超指向性スピーカが配置される、
音響再生装置。
【国際調査報告】
2012157219.tif 000014
2012157219.tif 000015
2012157219.tif 000016
2012157219.tif 000017
2012157219.tif 000018
2012157219.tif 000019
2012157219.tif 000020
2012157219.tif 000021